(57)【特許請求の範囲】
【請求項１】
洗浄水を貯める水タンクと、圧縮機と凝縮器と減圧器と蒸発器と送風機とを有する冷凍サイクルによる冷房手段と、制御基板とを、ケース内に収納配置し、蒸発器で熱交換され送風機で送出された空気を外部に吹き出す吹き出し口をケースに設け、送風機と吹き出し口を連通する風路を、蒸発器で熱交換された空気の一部をケース内に導入するように構成したことを特徴とするトイレ装置。
【請求項２】
ケースは、ケース本体とケース蓋から成り、蒸発器で熱交換され送風機で送出された空気を外部に吹き出す吹き出し口をケース蓋に設けたことを特徴とする請求項１記載のトイレ装置。
【請求項３】
ケース蓋をケース本体に設置したときに、送風機と吹き出し口を連通する風路が接続されるようにしたことを特徴とする請求項２記載のトイレ装置。
【請求項４】
吹き出し口の下面とこの吹き出し口にルーバが配設される場合はその上面、又は角度調整可能なルーバが配設される場合は角度調整範囲を、空気の吹き出し方向に水平姿勢より上向きとし、吹き出し口で結露した水を水タンク内に導入するようにしたことを特徴とする請求項１〜３の何れか１項に記載のトイレ装置。
【請求項５】
ケース本体の上端部にケース蓋内から滴下する水を水タンク内に導くガイド手段を設けたことを特徴とする請求項４記載のトイレ装置。
【請求項６】
洗浄水を貯める水タンクと、圧縮機と凝縮器と減圧器と蒸発器と送風機とを有する冷凍サイクルによる冷房手段とを、ケース内に収納配置し、蒸発器で熱交換され送風機で送出された空気を外部に吹き出す吹き出し口をケースに設け、吹き出し口の下面とこの吹き出し口にルーバが配設される場合はその上面、又は角度調整可能なルーバが配設される場合は角度調整範囲を、空気の吹き出し方向に水平姿勢より上向きとし、吹き出し口の内側下部に結露水を水タンクに導くガイド手段を設けたことを特徴とするトイレ装置。
【発明の詳細な説明】
【０００１】
【発明の属する技術分野】
本発明はトイレ装置に関し、特に冷房手段を備えたトイレ装置に関するものである。
【０００２】
【従来の技術】
従来から、冷凍サイクルを用いかつその凝縮器の冷却手段として水タンク内の洗浄水を利用する冷房手段を設けた衛生洗浄装置は、例えば実開昭６３−１９０３７３号公報、特開平９−１５２１４２号公報、特開２０００−７９０７７号公報などにより知られている。
【０００３】
【発明が解決しようとする課題】
ところが、上記実開昭６３−１９０３７３号公報の構成では、冷凍サイクルの凝縮器は水タンク内に、蒸発器は水タンクの上部や上方側部に、圧縮機は衛生洗浄装置の設置面の水タンク下方位置や衛生洗浄装置の側部に配設され、それぞればらばらに配設されているので、設置スペースが必要になるとともに、設置工事に大変な手間とコストがかかり、手入れにも手間がかかるという問題がある。
【０００４】
また、特開平９−１５２１４２号公報の構成では、凝縮器を除いて冷房手段が衛生洗浄装置と分離して配設されているので、上記と同様に設置スペースが必要になるとともに、設置工事に大変な手間とコストがかかり、手入れにも手間がかかるという問題がある。
【０００５】
また、特開２０００−７９０７７号公報の構成では、冷凍サイクルの凝縮器は水タンク内に、蒸発器や圧縮機は水タンクの上部に配設され、便器本体の後部上方に立設されたタンクケース内に収納配置しているので、設置スペースがコンパクトになるとともに、設置工事や手入れも比較的簡単になっているが、それでも冷風の吹き出し口をタンクケースの上部前面に設け、その背部に蒸発器を、さらにその背部にファンを配設した構成としているため、施工時における水タンクの水位調整等の作業や、吹き出し口が汚れたときの清掃や各機器のメンテナンスを行う時にこれらの機器が邪魔になって作業性が悪いという問題がある。
【０００６】
本発明は、上記従来の問題点に鑑み、冷房手段を備えながら設置スペースがコンパクトで、かつ施工作業時やメンテナンス時の作業性の良好なトイレ装置を提供することを目的とする。
【０００７】
【課題を解決するための手段】
本発明のトイレ装置は、洗浄水を貯める水タンクと、圧縮機と凝縮器と減圧器と蒸発器と送風機とを有する冷凍サイクルによる冷房手段と、制御基板とを、ケース内に収納配置し、蒸発器で熱交換され送風機で送出された空気を外部に吹き出す吹き出し口をケースに設け、送風機と吹き出し口を連通する風路を、蒸発器で熱交換された空気の一部をケース内に導入するように構成したものであり、ケース内に水タンクと冷房手段を収納配置しているので、設置スペースがコンパクトになるとともに設置工事や手入れも比較的簡単であり、また蒸発器で熱交換された空気の一部をケース内に導入するようにしたので、ケース内部の過大な温度上昇を防止して電子部品等への影響を抑えることができる。
また、ケースは、ケース本体とケース蓋から成り、蒸発器で熱交換され送風機で送出された空気を外部に吹き出す吹き出し口をケース蓋に設けた構成とすると、ケース蓋を取り外すことで施工時における水タンクの水位調整等の作業やメンテナンス作業を容易に行え、かつ汚れが目立つとともに清掃が容易でない吹き出し口をケース蓋に設けているので、吹き出し口が汚れた場合にケース蓋ごと取り外して洗う等によって容易に綺麗にすることができる。
【０００８】
また、ケース蓋をケース本体に設置したときに、送風機と吹き出し口を連通する風路が接続されるようにすると、風路構成を一切気にすることなく、ケース蓋を取り外して作業できるのでさらに作業性が良くなる。
【００１１】
また、吹き出し口の下面とこの吹き出し口にルーバが配設される場合はその上面、又は角度調整可能なルーバが配設される場合は角度調整範囲を、空気の吹き出し方向に水平姿勢より上向きとし、吹き出し口で結露した水を水タンク内に導入するようにすると、吹き出し口部分での結露水がケース外面に流れ出して、ケース外面を濡らしたり、汚したりするのを防止できる。
【００１２】
また、ケース本体の上端部にケース蓋内から滴下する水を水タンク内に導くガイド手段を設けると、吹き出し口部分を含めてケース蓋の内面に生じた結露水が確実に水タンク内に排出され、結露水がケース内に流出して汚したり、ケース内の機器に悪影響を与えるのを防止できる。
【００１４】
また、洗浄水を貯める水タンクと、圧縮機と凝縮器と減圧器と蒸発器と送風機とを有する冷凍サイクルによる冷房手段とを、ケース内に収納配置し、蒸発器で熱交換され送風機で送出された空気を外部に吹き出す吹き出し口をケースに設け、吹き出し口の下面とこの吹き出し口にルーバが配設される場合はその上面、又は角度調整可能なルーバが配設される場合は角度調整範囲を、空気の吹き出し方向に水平姿勢より上向きとし、吹き出し口の内側下部に結露水を水タンクに導くガイド手段を設けても、上記のように吹き出し口部分を含めてケース蓋の内面に生じた結露水が確実に水タンク内に排出され、結露水がケース内に流出して汚したり、ケース内の機器に悪影響を与えるのを防止できる。
【００１５】
【発明の実施の形態】
以下、本発明のトイレ装置の一実施形態について、図１〜図４を参照して説明する。
【００１６】
図１〜図４において、１はトイレ装置で、便器２と、その上面後部に設置された本体部３と、本体部３の前端部に便器２上に設置された姿勢と上方に開いた状態との間で上下回動可能に装着された便座４及び便蓋５にて構成されている。
【００１７】
本体部３は、便器２上に固定設置されるベース板６上に、便器２を洗浄する洗浄水を貯める水タンク７と、冷房手段８と、局部温水洗浄手段９を設置し、かつそれらをケース１０内に収納して構成されている。ケース１０は、ケース本体１１とその上端開口を覆うケース蓋１２にて構成されており、ケース蓋１２は必要に応じて手洗い手段を設けた構成とされる。
【００１８】
ベース板６上の後部に水タンク７と冷房手段８が配設され、ベース板６上の前部に局部温水洗浄手段９が配設され、ケース本体１１は下部が局部温水洗浄手段９を配設するために前後方向の幅が大きく、上部に向かって後方に向けて漸次幅が狭くなって中間部から上部に向けては水タンク７と冷房手段８を収納できるだけの幅となっている。
【００１９】
水タンク７は、その一側部に冷房手段８の配設空間を形成するように凹欠部１３が形成されている。７ａは、水タンク７の容量を確保するため、凹欠部１３における空き空間内に突出させたタンク突出部である。７ｂは、水タンク７の左右方向の中心位置の底壁前部に形成された排水口である。水タンク７の他側部の上部と下部には水道水を水タンク７内に供給する自動給水手段や給水管１５を配設する凹欠部１６ａ、１６ｂが形成されている。
【００２０】
ベース板６の水タンク７の設置部には、水タンク７の表面に結露した結露水を受ける結露水受け（図示せず）が設けられており、溜まった結露水は便器２のリム２ａ内に流出させるように構成されている。水タンク７下部の局部温水洗浄手段９との間には、水タンク７の前面に沿って制御基板１７が配設されている。
【００２１】
冷房手段８は、圧縮機１８と、凝縮器１９と、減圧器２０と、蒸発器２１からなる冷凍サイクルと、蒸発器２１で冷却された空気を送風する送風機２２とを備えており、ベース板６に水タンク７を設置した状態で着脱できるユニットとして構成されている。すなわち、図２に示すように、冷房手段８は、ベース板６に着脱可能に取付けられる取付基板２３に対して、圧縮機１８の下端部外周に突設された３つの取付ブラケット１８ａをそれぞれ防振部材２４を介して取付けるとともに、この取付基板２３に圧縮機１８の上部で蒸発器２１及び送風機２２を支持する支持ブラケット２５を取付けて構成されており、取付基板２３をベース板６から取外すことにより、一体的に取り外せるように構成されている。
【００２２】
なお、凝縮器１９は水タンク７内の後背面に沿って配設された蛇行配管部材にて構成されている。蒸発器２１と送風機２２は、比較的小さな幅の通風空間を介して並列配置した状態で連結されている。
【００２３】
送風機２２の吐出口２２ａは送風機２２の上面の後部に開口され、吐出口２２ａにケース本体１１の上端高さまで延びる送風短管２６が接続されている。送風短管２６の上端には一対の接続口が設けられ、ケース本体１１にケース蓋１２を設置した時に、ケース蓋１２に配設されている一対の送風ダクト２７ａ、２７ｂと接続されるように構成されている。送風ダクト２７ａ、２７ｂは、ケース蓋１２の両側部に設けられた吹き出し口３０ａ、３０ｂ部分に向けて延出され、その先端部に設けられた口部材２８ａ、２８ｂが吹き出し口３０ａ、３０ｂに嵌合・接続されている。
【００２４】
以上の構成においては、便器２上に固定設置されたベース板６上に水タンク７とその側部に冷房手段８を配設してケース本体１１内に収納し、ケース蓋１２にて蓋をしているので、冷房手段８を水タンク７を配設したケース１０とは別に配設する場合に比して、設置スペースがコンパクトになるとともに、設置工事や手入れも比較的簡単である。
【００２５】
また、ベース板６上に圧縮機１８を配設し、この圧縮機１８の上部のデッドスペースに蒸発器２１と送風機２２を配設しているので、冷房手段８をコンパクトに構成できるととともに、重量の大きい圧縮機１８がベース板６上に配設されているので、より一層軽量安価な支持構成にできるとともに便器後部の重量バランスを良くして高い安定性を得ることができる。
【００２６】
また、ケース蓋１２を取り外すことで施工時における水タンク７の水位調整等の作業やメンテナンス作業を容易に行うことができ、さらにケース蓋１２に吹き出し口３０ａ、３０ｂを設けているので、吹き出し口３０ａ、３０ｂ及びその口部材２８ａ、２８ｂが汚れた場合にケース蓋１２ごと取り外して洗う等によって容易に綺麗にすることができ、汚れが目立つとともに清掃が容易でない吹き出し口３０ａ、３０ｂ部分を容易に綺麗に保つことができる。
【００２７】
また、ケース蓋１２をケース本体１１に設置したときに、送風機２２の吐出口からケース本体１１の上端まで立設した送風短管２６と、ケース蓋１２に配設した送風ダクト２７ａ、２７ｂが接続され、吹き出し口３０ａ、３０ｂに連通する風路が接続されるようにしているので、風路構成を一切気にすることなく、ケース蓋１２を取り外して作業できるのでさらに作業性が良くなる。
【００２８】
そして、ケース１０の上端部のケース蓋１２の両側部に吹き出し口３０ａ、３０ｂが配設されているので、便座４上に着座した人の首筋近傍に向けて効果的に冷風を吹き付けることができ、トイレ室の全体の温度を下げた状態にすることなく、したがって小さな能力の冷房手段８にてトイレ装置１の使用時に限定して稼働させることで省エネルギーを図っても、トイレ装置１を快適に使用することができる。
【００２９】
次に、本発明のトイレ装置の他の実施形態について、図５を参照して説明する。なお、以下の実施形態の説明では、上記実施形態と同一の構成要素については、同一参照符号を付して説明を省略し、相違点のみを説明する。
【００３０】
上記実施形態では、送風短管２６と吹き出し口３０ａ、３０ｂの間を接続する風路を、可撓性のない樹脂管から成る送風ダクト２７ａ、２７ｂをケース蓋１２に配設して構成した例を示したが、図５に示すように、蛇腹管などの可撓性や伸縮性を有するフレキシブルチューブから成る送風チューブ３１ａ、３１ｂをケース蓋１２に配設して構成してもよい。このように送風チューブ３１ａ、３１ｂを用いると、機種によってケース本体１１内の配設構造やケース蓋１２の構造が変わっても、同一仕様で対応でき、コスト低下を図ることができる。
【００３１】
また、吹き出し口３０ａ、３０ｂに嵌合するように送風チューブ３１ａ、３１ｂの先端に設けた口部材３２ａ、３２ｂの下面に、蒸発器２１で熱交換された空気の一部をケース１０内に導入する冷気導入穴３３が設けられている。このように冷気の一部を冷気導入穴３３からケース１０内に放出することにより、ケース１０内部の過大な温度上昇を防止でき、制御基板１７に実装されている電子部品等への影響を抑えることができる。
【００３２】
次に、本発明のトイレ装置のさらに別の実施形態について、図６を参照して説明する。
【００３３】
本実施形態では、ケース蓋１２に形成された吹き出し口３０ａ、３０ｂに嵌合接続される口部材３４に上下角度を調整可能な複数のルーバ３５が設けられており、かつ口部材３４の下面が、空気の吹き出し方向に水平姿勢より所定角度θだけ上向きになるように構成され、またルーバ３５の角度調整範囲の下限も同様に空気の吹き出し方向に水平姿勢より所定角度θだけ上向きになるように構成されている。また、口部材３４の下面には、上記冷気導入穴３３としても機能する結露水の排水穴３６が形成されている。また、ケース本体１１の上端には、この排水穴３６から排出された結露水、及びそれだけでなくケース蓋１２の内面の任意の位置から滴下する水滴を確実に水タンク７内に導くため、ケース本体１１の上端開口縁から水タンク７の開口内に向けて斜め下方に傾斜する傾斜壁３７が形成されている。これら口部材３４、排水穴３６及び傾斜壁３７が、吹き出し口３０ａ、３０ｂ部分での結露水を水タンク７内に導くガイド手段を構成している。
【００３４】
このように構成すると、吹き出し口３０ａ、３０ｂ部分での結露水がケース蓋１２及びケース本体１１の前面に流れ出して、ケース１０の外面を濡らしたり、汚したりするのを防止でき、さらにその結露水を確実に水タンク７内に排出することができ、結露水がケース１０内に流出して汚したり、ケース１０内の機器に悪影響を与えるのを防止できる。
【００３５】
本実施形態では、結露水を水タンク７に排出させるガイド手段としてケース本体１１に傾斜壁３７を形成した例を示したが、必ずしもガイド手段として傾斜壁３７を形成する必要はなく、例えば排水穴３６が水タンク７の上部開口の上部に位置するように口部材３４を構成して、結露水が排水穴３６から直接水タンク７内に落下するようにしてもよい。
【００３６】
以上の実施形態の説明では、送風機２２の吐出口２２ａと吹き出し口３０ａ、３０ｂの間を接続する風路を、ケース本体１１内に配設した送風短管２６とケース蓋１２に配設した送風ダクト２７ａ、２７ｂや送風チューブ３１ａ、３１ｂにて構成し、ケース蓋１２を設置した時に互いに接続されるように構成した例を示したが、送風機２２の吐出口２２ａと吹き出し口３０ａ、３０ｂの間を可撓性又は伸縮性を有する送風チューブにて接続するように構成し、ケース蓋１２をケース本体１１の上端に近接配置して吹き出し口３０ａ、３０ｂに送風チューブを接続した後、ケース蓋１２を設置するようにしてもよい。
【００３７】
また、上記実施形態では、ケース１０内に冷気の一部を導入する冷気導入穴３３を口部材３２ａ、３２ｂ、３４に設けた例を示したが、この冷気導入穴３３は送風機２２と吹き出し口３０ａ、３０ｂの間の風路の任意の位置に設けることができる。さらに、上記実施形態ではケース１０がケース本体１１とケース蓋１２から成る例について説明したが、ケース１０が一体構成の場合においても、冷気導入穴３３を設けることにより、同様の作用効果が得られることは言うまでもない。
【００３８】
また、吹き出し口３０ａ、３０ｂやそれに嵌合される口部材２８ａ、２８ｂの下面、またルーバが配設される場合はその上面、また角度調整可能なルーバ３５が配設される場合は角度調整範囲を、空気の吹き出し方向に水平姿勢より上向きとし、吹き出し口３０ａ、３０ｂの内側下部に結露水を水タンク７に導くガイド手段を設けることによる作用効果は、ケース１０が一体構成の場合においても同様に得られることは言うまでもない。
【００３９】
なお、凝縮器１９を蛇行配管部材で構成して水タンク７内に配設することは、簡素な構成で凝縮熱を放熱できる点で好ましいが、これは一例であり、他に、フィンチューブで構成すると、熱交換効率が高い点で好ましい。
【００４０】
また、減圧器２０を細管を巻回して構成すると、簡素な構成で減圧を行うことができる点で好ましい。また、バルブで構成すると、冷房負荷に応じて減圧度合いを変更できる点で好ましい。さらには、電子制御弁で構成すると、減圧度合いを自動制御で変更できる点で好ましい。
【００４１】
また、送風機２２をシロッコファンで構成すると、蒸発器２１の通気方向と送風機２２の吐出方向を垂直にできる点や圧力損失に強い点で好ましい。
【００４２】
【発明の効果】
本発明のトイレ装置によれば、以上の説明から明らかなように、ケース内に水タンクと冷房手段と回路基板とを収納配置しているので、設置スペースがコンパクトになるとともに設置工事や手入れも比較的簡単であり、また蒸発器で熱交換された空気の一部をケース内に導入するようにしたので、ケース内部の過大な温度上昇を防止して回路基板の電子部品等への影響を抑えることができる。
また、ケースは、ケース本体とケース蓋から成り、蒸発器で熱交換され送風機で送出された空気を外部に吹き出す吹き出し口をケース蓋に設けた構成とすると、ケース蓋を取り外すことで施工時における水タンクの水位調整等の作業やメンテナンス作業を容易に行え、かつ汚れが目立つとともに清掃が容易でない吹き出し口をケース蓋に設けているので、吹き出し口が汚れた場合にケース蓋ごと取り外して洗う等によって容易に綺麗にすることができる。
【図面の簡単な説明】
【図１】本発明のトイレ装置の一実施形態の全体構成を示す斜視図である。
【図２】同実施形態の縦断側面図である。
【図３】同実施形態のケースを断面して示した正面図である。
【図４】同実施形態のケースを断面して示した平面図である。
【図５】本発明のトイレ装置の他の実施形態のケース蓋の断面平面図である。
【図６】本発明のトイレ装置のさらに別の実施形態の吹き出し口部分の詳細を示す縦断側面図である。
【符号の説明】
１  トイレ装置
７  水タンク
８  冷房手段
１０  ケース
１１  ケース本体
１２  ケース蓋
１８  圧縮機
１９  凝縮器
２０  減圧器
２１  蒸発器
２２  送風機
２６  送風短管（風路）
２７ａ、２７ｂ  送風ダクト（風路）
３０ａ、３０ｂ  吹き出し口
３１ａ、３１ｂ  送風チューブ（風路）
３３  冷気導入穴
３４  口部材（ガイド手段）
３５  ルーバ
３６  排水穴（ガイド手段）
３７  傾斜壁（ガイド手段）
【図１】
0003898512.tif 000002
【図２】
0003898512.tif 000003
【図３】
0003898512.tif 000004
【図４】
0003898512.tif 000005
【図５】
0003898512.tif 000006
【図６】
0003898512.tif 000007